(57)【特許請求の範囲】
【請求項１】
育苗された苗を収容する苗箱（Ｃ）を装填する苗箱装填部（１７ａ）と、該苗箱装填部（１７ａ）に装填された苗箱（Ｃ）を苗取出し位置（ｐ１）に向けて搬送する苗箱供給搬送部（１７ｂ）と、前記苗取出し位置（ｐ１）にある苗箱（Ｃ）から苗を取出す苗取出し手段（ＰＵ）とを備える苗移植機において、苗箱（Ｃ）の底面から突出する根を切断する根切断装置（６０）を苗箱装填部（１７ａ）に設け、機体の左右中央に対して左右に苗箱装填部（１７ａ）及び根切断装置（６０）を各々配置し、左右の根切断装置（６０）は、苗箱装填部（１７ａ）における苗箱移送上手側が機体の左右方向外側へ向かって移動する方向に回転する切断部材（６１）により根を切断する構成として左右の切断部材（６１）が互いに逆方向に回転する構成とした苗移植機。
【請求項２】
走行車体（１０）に対してリンク（１６ａ，１６ｂ）を介して昇降可能に移植装置（９）を設け、移植装置（９）には、苗箱装填部（１７ａ）及び苗箱供給搬送部（１７ｂ）を備える苗箱供給手段（１７）と、苗取出し手段（ＰＵ）と、苗植付け手段（ＰＴ）と、苗取出し手段（ＰＵ）で取り出された苗を一つずつ苗植付け手段（ＰＴ）へ供給する苗供給手段（ＮＴ１）を備え、走行車体（１０）で且つ機体の左右中央に座席（１３）を設け、根切断装置（６０）は、線状の切断部材（６１）を切断用モータ（６３）により上下方向の軸心回りに回転させる構成とし、切断部材（６１）が回転する位置には、苗箱（Ｃ）の左右両側に当たって該苗箱（Ｃ）を所望の通過位置へ案内する棒状の苗箱案内部（６４）を左右に設けると共に、根切断装置（６０）上で苗箱（Ｃ）が移動していることを検出する苗箱通過センサ（６５）を設け、該苗箱通過センサ（６５）により根切断装置（６０）上で苗箱（Ｃ）が移動していることを検出するときには、切断用モータ（６３）を駆動して根切断装置（６０）を作動させ、苗箱通過センサ（６５）により根切断装置（６０）上で苗箱（Ｃ）が停止していること又は根切断装置（６０）上に苗箱（Ｃ）がないことを検出するときには、切断用モータ（６３）を停止して根切断装置（６０）の作動を停止させる構成とし、４個の苗箱装填部（１７ａ）を左右に配列し、左側２個の苗箱装填部（１７ａ）に設けた根切断装置（６０）の切断部材（６１）と、右側２個の苗箱装填部（１７ａ）に設けた根切断装置（６０）の切断部材（６１）が互いに逆方向に回転する構成とし、切断部材（６１）により切断した根を苗箱案内部（６４）の下方の空間を通して機体の左右外方へ飛ばす構成とした請求項１に記載の苗移植機。
【発明の詳細な説明】
【技術分野】
【０００１】
本発明は、育苗された苗を収容する苗箱を装填する苗箱装填部を備える苗移植機に関する。
【背景技術】
【０００２】
育苗された苗を収容する苗箱を装填する苗箱装填部と、該苗箱装填部に装填された苗箱を苗取出し位置に向けて搬送する苗箱供給搬送部と、前記苗取出し位置にある苗箱から横一列の苗を取り出す第一の苗取出し手段と、該第一の苗取出し手段により取出した横一列の苗を受けて下側に移送する苗移送手段と、該苗移送手段で移送されてきた横一列の苗を取出して苗供給ベルト上に落として供給する第二の苗取出し手段とを設け、前記苗供給ベルトの駆動により該苗供給ベルト上の苗を順次一つづつ苗植付け手段へ供給し、該苗植付け手段により一つづつ圃場に苗を植付ける構成の苗移植機がある（特許文献１参照。）。
【特許文献１】特開２００２−１７１１８号公報
【発明の開示】
【発明が解決しようとする課題】
【０００３】
上記苗移植機においては、苗箱装填部に苗箱ごと苗を供給し、苗箱供給搬送部により苗箱装填部に装填された苗箱を苗取出し位置に向けて搬送し、苗取出し手段により前記苗取出し位置にある苗箱から苗を取出す構成であるので、育苗時に置床に伸長した根が苗箱の底面から突出していると、苗箱供給搬送部での苗箱搬送や苗取出し手段による苗取出しの抵抗となり、苗植付け手段へ苗を適正に移送できなくなって適正な苗の植付けができなくなるおそれがある。
【課題を解決するための手段】
【０００４】
この発明は、上記課題を解決すべく次のような技術的手段を講じた。
すなわち、請求項１に係る発明は、育苗された苗を収容する苗箱（Ｃ）を装填する苗箱装填部（１７ａ）と、該苗箱装填部（１７ａ）に装填された苗箱（Ｃ）を苗取出し位置（ｐ１）に向けて搬送する苗箱供給搬送部（１７ｂ）と、前記苗取出し位置（ｐ１）にある苗箱（Ｃ）から苗を取出す苗取出し手段（ＰＵ）とを備える苗移植機において、苗箱（Ｃ）の底面から突出する根を切断する根切断装置（６０）を苗箱装填部（１７ａ）に設け、機体の左右中央に対して左右に苗箱装填部（１７ａ）及び根切断装置（６０）を各々配置し、左右の根切断装置（６０）は、苗箱装填部（１７ａ）における苗箱移送上手側が機体の左右方向外側へ向かって移動する方向に回転する切断部材（６１）により根を切断する構成として左右の切断部材（６１）が互いに逆方向に回転する構成とした苗移植機とした。
【０００５】
また、請求項２に係る発明は、走行車体（１０）に対してリンク（１６ａ，１６ｂ）を介して昇降可能に移植装置（９）を設け、移植装置（９）には、苗箱装填部（１７ａ）及び苗箱供給搬送部（１７ｂ）を備える苗箱供給手段（１７）と、苗取出し手段（ＰＵ）と、苗植付け手段（ＰＴ）と、苗取出し手段（ＰＵ）で取り出された苗を一つずつ苗植付け手段（ＰＴ）へ供給する苗供給手段（ＮＴ１）を備え、走行車体（１０）で且つ機体の左右中央に座席（１３）を設け、根切断装置（６０）は、線状の切断部材（６１）を切断用モータ（６３）により上下方向の軸心回りに回転させる構成とし、切断部材（６１）が回転する位置には、苗箱（Ｃ）の左右両側に当たって該苗箱（Ｃ）を所望の通過位置へ案内する棒状の苗箱案内部（６４）を左右に設けると共に、根切断装置（６０）上で苗箱（Ｃ）が移動していることを検出する苗箱通過センサ（６５）を設け、該苗箱通過センサ（６５）により根切断装置（６０）上で苗箱（Ｃ）が移動していることを検出するときには、切断用モータ（６３）を駆動して根切断装置（６０）を作動させ、苗箱通過センサ（６５）により根切断装置（６０）上で苗箱（Ｃ）が停止していること又は根切断装置（６０）上に苗箱（Ｃ）がないことを検出するときには、切断用モータ（６３）を停止して根切断装置（６０）の作動を停止させる構成とし、４個の苗箱装填部（１７ａ）を左右に配列し、左側２個の苗箱装填部（１７ａ）に設けた根切断装置（６０）の切断部材（６１）と、右側２個の苗箱装填部（１７ａ）に設けた根切断装置（６０）の切断部材（６１）が互いに逆方向に回転する構成とし、切断部材（６１）により切断した根を苗箱案内部（６４）の下方の空間を通して機体の左右外方へ飛ばす構成とした請求項１に記載の苗移植機とした。
【発明の効果】
【０００６】
請求項１に係る発明により、苗箱装填部１７ａに苗箱Ｃを装填すると、苗箱装填部１７ａに設けた根切断装置６０により苗箱Ｃの底面から突出する根を切断する。そして、底面から突出する根が切断された苗箱Ｃは苗箱供給搬送部１７ｂにより苗取出し位置ｐ１に円滑に搬送され、苗取出し位置ｐ１に搬送された苗箱Ｃから苗取出し手段ＰＵにより苗が円滑に取出される。切断された根が機体の左右外側に飛ばされることになり、前記根が下方に落下して苗植付け手段ＰＴで植付けようとする苗に悪影響を与えることが抑えられると共に、苗箱Ｃから苗を円滑に取出すことができるので、苗植付け手段ＰＴへの苗供給を適正に行うことができ、ひいては適正に苗を植付けることができる。
請求項２に係る発明によると、請求項１に係る発明の効果に加えて、機体の左右中央にある座席１３に座る作業者に根がかかりにくく、快適な作業が行える。また、根切断装置６０上で苗箱Ｃが停止しているとき又は根切断装置６０上に苗箱Ｃがないときには、切断用モータ６３を停止して根切断装置６０の作動を停止させるので、根切断装置６０を不必要に駆動させずに、根切断装置６０により苗箱Ｃの底部から突出する根を苗箱Ｃ全体にわたって適確に切断することができる。更に、切断部材６１により切断した根を苗箱案内部６４の下方の空間を通して機体の左右外方へ飛ばすことができる。
【発明を実施するための最良の形態】
【０００７】
この発明の実施の一形態の苗移植機を以下に説明する。
苗移植機８は、圃場に玉ねぎの苗を移植する苗移植機であり、図１の左側面図、図２の平面図、及び、図３の苗移植機後半部の左側面図に示すように、移植装置９を走行車体１０に装着した構成として、該走行車体１０により自走しながら移植装置９が圃場に苗を移植していくようになっている。  
【０００８】
なお、本明細書では苗移植機８の前進方向に向かって左右方向をそれぞれ左、右といい、前進側を前、後進側を後ということにする。
走行車体１０は、左右一対の駆動回転する前輪１１，１１と左右一対の駆動回転する後輪１２，１２を備え、操縦者が座る座席１３と、該座席１３の前方に配置されて操縦者が走行車体１０の進行方向を変更操作するために左右一対の前輪１１，１１を左右に変向操作する操縦ハンドル１４を備えている。エンジン２の動力は伝動ベルト３を介して油圧ポンプ４に伝達され、油圧ポンプ４からの圧油が送られて後述する砕土装置４１が駆動される。走行車体１０の後部に昇降シリンダ１５により上下回動する一対のリンク１６ａ，１６ｂを備え、該リンク１６ａ，１６ｂにより移植装置９を昇降動可能に装着している。
【０００９】
移植装置９にはＰＴＯ軸４３から移植装置９の伝動軸４２を介してエンジン動力が伝達される（図３）。また、移植装置９は、苗箱Ｃを収容して搬送する苗箱供給手段１７と該苗箱供給手段１７が供給する苗箱Ｃの各セル１（図５）から順次苗Ｎを取出す苗取出し手段ＰＵ（図５）と該苗取出し手段ＰＵが取出した苗Ｎを一つ一つ圃場に植付けていく苗植付け手段ＰＴ（図１、図３参照）を設けた構成としている。したがって、上記のごとく各セル１で育成した苗Ｎを有する苗箱Ｃを苗箱供給手段１７に装填すれば、苗箱Ｃの各セル１の苗Ｎは苗取出し手段ＰＵによって順次自動的に苗Ｎが取出されていって、そして、その取出された苗Ｎは苗植付け手段ＰＴによって一つ一つ畑圃場に植付けられていく。
【００１０】
なお、苗箱供給手段１７に収容して搬送する苗箱Ｃ内には、玉ねぎの苗を入れた小さなポット状のセル１を多数縦横に整列してあり、この苗箱Ｃは、ポリプロピレン等の合成樹脂により一体的に成型した可とう性のものである。このため、苗箱Ｃを苗箱供給手段１７で移送するとき、該苗箱供給手段１７の屈曲部でも曲がりながら移送可能となる。また、前記セル１の底面には三又状の底孔を設けており、この底孔により、育苗時に根が通過して置床に伸長させることができ、また育苗時にセル１内に灌水した水を排水することができ、更には苗取出し手段ＰＵの後述する苗押出し用のピン２４が苗を押し出すべく通過してセル１内に突入させることができる。
【００１１】
この苗箱Ｃあるいは平らな箱構造の育苗器Ａを使用して育苗するとき、図８に示すように、網状の棚６６に苗箱Ｃあるいは育苗器Ａを載置すると、苗箱Ｃあるいは育苗器Ａが空気に触れるのでエアプルーニング効果により根が底孔を通って下方に突出しにくくなり、セル１あるいは育苗器Ａ内で根が十分に絡み合うように伸び、強度のある苗を得ることができる。このとき、栽培室６７の側壁部６８で前記棚６６と略同一の高さあるいは前記棚６６より下側の位置に吸入ファン６９を設け、該吸入ファン６９からの微風が苗に側方及び下方から当たるようにして苗に刺激を与え、苗の徒長防止を図って倒れ苗を防止することができる。尚、栽培室６７の天井部７０で前記棚６６の上方位置に排出ファン７１を設け、該排出ファン７１により、前記吸入ファン７１で吸入した空気を栽培室６７外へ排出すると共に、苗の周辺での風の流れを良好に維持することができる。
【００１２】
また、図９に示すように、水を貯留するプール７２内に苗箱Ｃを置いて底面灌水しながら育苗する場合、セル１内の底孔から根が突出して伸長しないように、苗箱Ｃの下方に例えば培土袋に使用されているような空気抜き孔を有する空気透過性のあるシート７３を敷くことができる。該シート７３は、水は通さないが空気は通すのでエアプルーニング効果により根が底孔を通って下方に突出しにくくなり、強度のある苗を得ることができる。尚、図１０に示すように、苗箱ＣをアンダートレイＵに入れて育苗するときは、苗箱ＣとアンダートレイＵとの間に前記シート７３を敷き、アンダートレイＵに側方から水を供給することにより、底面灌水しながら根が底孔を通って下方に突出しないようにできる。
【００１３】
また、育苗に際し、床土の窒素成分を少なくし、茎部（地際部）にアントシアンの色素ｓが発症した後、追肥するとよい。これにより、苗の根の量が多くなり、倒れ苗を防止することができ、苗移植機８でセル１から苗が取出し易くなる。この育苗方法は、苗が倒れ易いブロッコリーや油菜の育苗において特に有効である。
【００１４】
また、苗箱Ｃで例えばスイカ苗等の接木苗を育苗する場合等、セル１の底面を透明又は半透明にすればセル１内での根の張り具合を視認することができ、育苗状態を確認することができる。特に、接木苗では、穂木と台木との接合不良により穂木と台木との間の水分及び養分の移行がスムーズに行われずに根の発達が悪くなって生育不良となることがあるが、上記のようにセル１内での根の張り具合を確認することにより、苗出荷時に不良素質苗を簡易に判別して取り除くことができる。尚、セル１の底面を、透明又は半透明にするのに代えてメッシュ状（網状）にし、セル１内での根の張り具合を視認できる構成としてもよい。また、セル１の底面をカメラで撮影し、その撮影画像を分析してセル１内での根の張り具合を定量的に判断してもよい。このとき、根は白色に近く、培土は茶色で黒色に近いので、セル１（苗箱Ｃ）を黒色に近いものとすれば、根の部分を容易に識別できる。
【００１５】
移植装置９は、具体的には、以下のような構成から成る。
苗箱供給手段１７は、具体的には、機体側面視で走行車体１０の座席１３の後側近傍に配置され、走行車体１０に搭乗した作業者が苗箱Ｃを装填する個所となる苗箱装填部１７ａと、該苗箱装填部１７ａに装填された苗箱Ｃを後下がりに搬送し、続いて屈曲搬送し、更に、図５の苗箱供給手段１７の下半分の側面図に示すように、苗取出し手段ＰＵによる苗取出し位置ｐ１に向けて下方に搬送する苗箱供給搬送部１７ｂと、該苗箱供給搬送部１７ｂにより搬送され苗取出し手段ＰＵにより苗が取出されて空になった苗箱ＣをＵ字状に屈曲搬送し、更に苗箱装填部１７ａの下方位置に向けて上方に搬送する空箱搬送部１７ｃを設けた構成としている。尚、苗箱装填部１７ａは、苗箱供給手段１７において作業者に最も近い前端部に設けられている。
【００１６】
苗箱装填部１７ａに装填される苗箱Ｃは、その苗箱Ｃの長手方向が前後方向に向く姿勢で、しかも、上面側（セル１の開口部）が上方に向く姿勢で装填される。したがって、装填された苗箱Ｃはその苗箱Ｃの長手方向に搬送されるものとなり、また、装填された苗箱Ｃの各セル１に収容された苗Ｎは、苗箱装填部１７ａでは葉茎部Ｎｂが上方に向って伸びる姿勢となり、苗取出し位置ｐ１では葉茎部Ｎｂが後方に向って伸び且つ床部Ｎａが葉茎部Ｎｂに対して前側に位置する姿勢となるように搬送される。  
【００１７】
また、苗箱供給手段１７には、空箱搬送部１７ｃにより搬送されて、その搬送端部から排出される空の苗箱Ｃを受けて収容する空箱収容部１７ｄ（図１）を設けたものとしている。
【００１８】
苗箱供給手段１７は支持フレーム１８に支持され、該支持フレーム１８は、その基部が植付部伝動ケース１９に支持され、該植付部伝動ケース１９には連結部材２１が連結されている。該連結部材２１は走行車体１０に苗植付装置９を昇降自在に支持する単一の上リンク１６ａと一対の下リンク１６ｂからなる３点リンク機構の苗植付装置９側の端部を上下方向に連結する上下部材２２に連結している。
【００１９】
図５に示すように苗取出し手段ＰＵは、苗をセル１の底部側から押出して取出す構成としている。具体的には、棒状に設けた苗押出し用のピン２４を、苗箱供給手段１７の下側のＵ字状搬送部分の中にあってピン２４の先端部分が後方に向かうように配置し、ピン２４の先端部が後方に向かって突出し又前方に向かって引っ込むよう適宜タイミングで往復動するように設けている。これにより、苗押出しピン２４が、苗取出し位置ｐ１まで供給された苗箱Ｃのセル１の底部側からその底部に設けた底孔内に突入してセル１内の床部Ｎａを後方に押し出して、苗Ｎをセル１から後方に取出すようになっている。
【００２０】
また、この苗取出し手段ＰＵは、苗Ｎを列状に並んだ状態で複数個同時にセル１から取出す構成としている。即ち、苗取出し位置ｐ１に供給されてきた苗箱Ｃの左右横一列（苗箱Ｃの短手方向）のセル１・・・のそれぞれに対応して前記の苗押出し用のピン２４を横並びに複数設けて、苗取出し位置ｐ１の横一列の苗を同時に押し出して取出すように設けている。なお、図５に示すように該苗取出し手段ＰＵにより取出した複数の苗Ｎ・・・は、苗供給ベルト３６と苗下降送りベルト３７を有する苗供給手段ＮＴ１によって順次一つづつ苗植え付けディスク２７を有する苗植付け手段ＰＴに供給する構成とする。また、苗植え付けディスク２７はＰＴＯ軸４３からの駆動力が伝達される伝動軸４２により駆動する植付ディスク駆動スプロケット２６により回動される。
【００２１】
苗植付け手段ＰＴは、左右の植付ディスク２７で苗Ｎを挟んで（具体的には、苗Ｎの葉部を挟んで）畑地の移植圃場の土中に移動し植え付けるよう構成したものである。
苗植付け手段ＰＴの具体的な駆動構成は以下のようになっている。  
【００２２】
まず、エンジン２からの動力が走行車体１０の後部に突出させたＰＴＯ軸４３から自在継手４４を備えた伝動軸４２を介して移植装置９の前記連結部材２１に設けた伝動機構から植付部伝動ケース１９内に入力され、該伝動ケース１９内の伝動機構を介して苗箱供給手段１７の下部の下方近傍に配置された伝動ケース１９内の機体左右方向に長い伝動軸３３に伝動し、該伝動ケース１９から後方に伸びるように設けた複数の苗供給手段ＮＴ１を回動させる構成である。
【００２３】
複数の苗供給手段ＮＴ１から苗植付け手段ＰＴに苗が受け渡されて、植付伝動ケース１９内の伝動機構からの駆動で駆動する植付ディスク駆動スプロケット２６により回転する植付ディスク２７を備えた苗植付け手段ＰＴなどによる苗の植付のための具体的な駆動構成の説明は省略する。
【００２４】
図６の苗箱供給手段１７の要部背面図に示すように、前記苗供給手段ＮＴ１は、具体的には、左右両端側に駆動回転するように設けた一対の駆動ローラ３４，３４と左右中央側に回転自在に設けた一対の従動ローラ３５，３５と両ローラ３４，３４、３５，３５に巻き掛けた一対の苗供給ベルト３６，３６とを備えた構成としている。これにより、前記苗取出し手段ＰＵにより取出されて左右横一列に列状に並んだ状態の複数個の苗Ｎ・・・を左右に並設された左右の供給ベルト３６，３６の上に載せ、そして、横一列の苗Ｎ・・・の左半分を左側の供給ベルト３６の駆動回転で左方に搬送し、右半分を右側の供給ベルト３６の駆動回転で右方に搬送し、左右の駆動ローラ３４，３４の左右外側方に各々設けた左右一対の苗下降送りベルト３７の上端部側（苗供給部２６ｃ，２６ｃ、但し、図６には左側苗供給部２６ｃのみを図示する。）に、苗Ｎの床部Ｎａを一つづつ供給する。
【００２５】
このようにして一つづつ供給された苗Ｎを左右の各苗供給部２６ｃ，２６ｃに対応してそれぞれ設けた左右の苗植付け手段ＰＴ，ＰＴの植付ディスク２７，２７が、供給されてきた苗Ｎ，Ｎを挟んで移植圃場の土壌中に移動させて苗を植付けていく。
【００２６】
なお、苗供給ベルト３６の外周面の前端部側には、ベルト回転方向に設定間隔で突起３６ａを設けていて、該突起３６ａの左右間のベルト上面に苗Ｎの床部Ｎａが一つづつ載せられるようになっていて、これにより苗供給ベルト３６の上面に載せた苗を適確に一つづつ苗供給部２６ｃに供給できるものとなっている。
【００２７】
ところで、苗取出し手段ＰＵにより取出した苗Ｎが苗供給手段ＮＴ１の苗供給ベルト３６，３６上に直接載るように設ける構成もあるが、この実施例では、苗供給手段ＮＴ１が苗箱供給手段１７の下方に入り込むように配置し、そのように配置した苗供給手段ＮＴ１に苗取出し手段ＰＵにより取出した苗Ｎ・・・を移送する苗移送手段ＮＴ２（図５）を設けて、苗供給手段ＮＴ１が苗箱供給手段１７の後方に突出せず移植装置９の前後長が短くなるように構成している。
【００２８】
上記苗移送手段ＮＴ２は、苗取出し手段ＰＵの苗押出しピン２４・・・によって押出された横一列の苗Ｎ・・・の各床部Ｎａ・・・が係合する苗係合部５６ａ・・・を備えた苗ホルダ５６を設けていて、この苗ホルダ５６を駆動回動するリンク３８にて前記苗取出し位置ｐ１と苗供給ベルト３６，３６の上方前方側近傍の苗受け渡し位置ｐ４（図５、図６）とを矢印Ｙのように往復移動させるように設けている。これにより、苗押出しピン２４・・・が苗押出し作動により横一列の苗Ｎ・・・が各セル１・・・から押出されると、苗取出し位置ｐ１に位置する苗ホルダ５６の各苗係合部５６ａ・・・に苗Ｎの床部Ｎａ・・・が係合して保持される。
【００２９】
そして、苗ホルダ５６がリンク３８の回動により下方回動して前記苗受け渡し位置ｐ４に移動する。このとき各苗係合部５６ａ内に水平後方に軸心が向く姿勢で固定された第二の苗押出しピン３９・・・の先端部が入り込んで各苗係合部５６ａ・・・内に係合された苗Ｎの床部Ｎａ・・・が後方に押出されて、植付部伝動ケース１９と一体のベルト支持部５８に支持された苗供給ベルト３６，３６上に落とされるようになる。なお、第二の苗押出しピン３９・・・により各苗係合部５６ａ・・・内に係合された苗Ｎの床部Ｎａ・・・が後方に押出されたとき、くし状に設けた苗押し下げ部材４０（図６）が下降して、該部材４０が押出された各苗Ｎの床部Ｎａ・・・を押し下げ、迅速且つ適確に苗が苗供給ベルト３６，３６上に載置されるように設けている。なお、苗押し下げ部材４０は、植付部伝動ケース１９に支持されている。
【００３０】
図３の苗移植機８の要部側面図に示すように、各苗植付け手段ＰＴによる各苗植付け位置前方の移植圃場の表土面を均平する前鎮圧輪２８が固定部材２０に懸架されている。また固定部材２０に懸架され、後輪１２の踏み跡に案内されて移植装置９を支持する転動輪３０が設けられている。さらに、上記移植装置９は一つの苗箱供給手段１７に、該苗箱供給手段１７に装填された苗箱Ｃから横一列づつ苗Ｎ・・・を取出す苗取出し手段ＰＵと、該苗取出し手段ＰＵにより取出された苗Ｎ・・・を苗供給手段ＮＴ１に受け渡す苗受け渡し手段ＮＴ２と、該苗受け渡し手段ＮＴ２により受け渡された横一列の苗Ｎ・・・を左右に設けた苗植付け手段ＰＴ，ＰＴに供給する苗供給手段ＮＴ１と、そして、該苗供給手段ＮＴ１により供給された苗Ｎを移植圃場に植付けていく左右の苗植付け手段ＰＴ，ＰＴとを備えて一つの苗箱Ｃから２条植えする構成としたものであり、このように構成した移植ユニットを左右に２体設けることで、４条植えに構成でき、また、ｎ体設けることで２×ｎ条植えに構成できるものとなっている。
【００３１】
固定部材２０には前記前鎮圧輪２８の後側に土ほぐし体２９が設けられている。該土ほぐし体２９は植付部フレーム２５（図４）に支持され、該土ほぐし体２９は植付ディスク２７に対応した数で横一列に各植付ディスク２７に対応した位置に配置されている。該土ほぐし体２９でほぐされた圃場の土に苗が植付ディスク２７により植え付けられる。植付ディスク２７により植え付けられた各苗Ｎの周囲の土は覆土輪３１で覆われる。なお植付ディスク２７と覆土輪３１は植付部フレーム２５（図４）に上下回動可能に取り付けられた覆土輪・植付ディスク支持フレーム３２に支持される。なお、覆土輪・植付ディスク支持フレーム３２を上下動案内するプレート２３が固定部材２０に取り付けられている。
【００３２】
本実施例の苗移植機８の走行車体１０には圃場にできる後輪１２で形成される凹み部の溝を砕土する砕土装置４１を設けている。砕土装置４１は縦軸の周りを回転する回転体４５で前記溝をほぐし、溝が圃場面と略均等になるようにした、タイヤ跡を消すための装置である。回転体４５は油圧ポンプ４からホース４ａを経由して供給される作動油により駆動する油圧モータ４６で駆動される。前記油圧ポンプ４からの動力に換えてエンジン２の動力を伝達する機械的な手段により回転体４５を駆動させても良いし、独立した単独の駆動源で回転体４５を駆動させても良い。
【００３３】
本実施例の８条植の玉ねぎ苗の苗移植機８では後輪１２の走行跡の近傍にも苗を植え付けるので、砕土装置４１の回転する回転体４５によりタイヤの走行跡を耕耘することにより、溝が消されると共に砕土されるので、圃場面が均平化されて苗の植付姿勢や植付深さ等の精度を良好に維持できる。
【００３４】
従来、タイヤ跡の溝部はカルチ爪等の牽引装置で耕耘していたが、土塊が粗いと溝が消えないことがあったが、本実施例の砕土装置４１は縦軸の周りを回転する回転体４５であるので、水平方向に回転するか又は揺動する縦軸の周りを回転する回転体により圃場面を耕耘することができ、溝が消されると共に砕土される。
【００３５】
また、図７（ａ）の砕土装置部分の平面図に示すように、回転体４５の両側部に耕耘した圃場部分に土を寄せる一対の培土板４７，４７を設けている。この一対の培土板４７，４７により、図７（ｂ）の溝部分の圃場の断面図に示すように、回転体４５で耕耘した溝部分に土を寄せることができるので、地表面が沈下するのが防止される。
【００３６】
もし培土板４７により溝部分に土を寄せないと、溝部分を均平化しても、その部分は地面より低く、また軟らかいため、雨等により土が流され、作物が流されるおそれがある。
なお、本実施例の培土板４７は上下方向に向くその平面の角度を変更調整自在に連結部材２１に取り付けている。
【００３７】
また、図４（ａ）の本実施例の８条またぎの移植機８の要部平面図、図４（ｂ）の背面略図に示すように、左右後輪の中間部で一対の後輪１２，１２の中心軸と略一致する位置の後輪ローリングフレーム４８にセンター輪４９を設けている。
【００３８】
従来、８条またぎで苗を移植すると、全面が均一な平面となり、植付条数幅の半分（４条分の幅）で作業を行う作業機により管理作業等を行う場合、走行車体が傾斜した状態で行うことになり、良好な苗植付け作業ができなかった。しかし、後輪１２の中心軸と略一致する位置にセンター輪４９を設けると上記従来の欠点が解消される。
【００３９】
センター輪４９は、後車軸の後輪伝動ケース５０に設けたブラケット５１に移植装置９の昇降に連動して上下位置調節できるようにアーム５４の先端部に支持され、センター輪４９が走行車体１０の重量により、地面を押し付けられるようになっている。また、センター輪４９の揺動中心を後輪１２の中心軸と略一致させると、センター輪４９による溝付け作業が安定する。こうして進路変更した際に、センター輪４９は後輪１２と略同じように移動するので、引きずる等の障害を起こすことがない。
【００４０】
前述のようにセンター輪４９は移植装置９の昇降に連動して上下に回動する構成になっているが、移植装置９を昇降させる下リンク１６ｂに支点を設け、センター輪４９を上下させるスプリング５２付きのロッド５３の下端にセンター輪４９を連結し、該ロッド５３の上端を下リング１６ｂに取り付ける（図３）。
【００４１】
上記構成によると移植装置９を上昇させる場合にセンター輪４９が連動して上昇するので移植装置９のメンテナンスが容易に行える。
また、走行車体１０と移植装置９の前後方向の略中間部で走行車体１０の両側部の取付フレーム５５にフック５５ａを介して空苗箱Ｃの外寸法と略同等またはそれより少し大きめのサイズの空苗箱収納台５７を走行車体１０ひいては機体１２に対して着脱できるように設けた。そのため移植され、空になった苗箱Ｃを収納台５７に落とし込むだけで、空苗箱収納台５７の内部に空苗箱Ｃを整然と重ねることができるので、一枚ずつ重ねて別置した苗枠に運ぶ手間が省け、移植作業に集中することができる。
【００４２】
ところで、各２条毎の苗箱装填部１７ａの苗箱Ｃを載せる底板部分には、苗箱Ｃの底部から突出する根を切断するための根切断装置６０を設けている。この根切断装置６０は、線状の樹脂材（例えばナイロン製）からなる切断部材６１を回転板６２の外周部に２本取り付けて設け、前記回転板６２を切断用モータ６３により上下方向の軸心回りに回転させることにより、前記切断部材６１を回転させて根を切断する構成となっている。尚、前記回転板６２も樹脂材（例えばナイロン製）で構成され、前記切断部材６１及び回転板６２は、弾性体で構成されているので、苗箱Ｃの底部に干渉しても該苗箱Ｃを損傷させない構成となっている。また、切断部材６１の太さは直径１．５ｍｍ程度であるので、回転しても慣性モーメントが小さく、切断部材６１が作業者の手や指等に触れても怪我をするようなことを防止している。切断部材６１が回転する位置には、苗箱Ｃの左右両側に当たって該苗箱Ｃを所望の通過位置へ案内する棒状の苗箱案内部６４を左右に設けている。また、切断部材６１が回転する位置には、根切断装置６０上で苗箱Ｃが移動していることを検出する光電式の苗箱通過センサ６５を設けている。従って、該苗箱通過センサ６５により、根切断装置６０上で苗箱Ｃが移動しているときには、切断用モータ６３を駆動して根切断装置６０（切断部材６１）を作動させ、根切断装置６０上で苗箱Ｃが停止しているとき又は根切断装置６０上に苗箱Ｃがないときは、切断用モータ６３を停止して根切断装置６０（切断部材６１）の作動を停止させる構成となっている。これにより、根切断装置６０を不必要に駆動させずに、根切断装置６０により苗箱Ｃの底部から突出する根を苗箱Ｃ全体にわたって適確に切断することができる。尚、苗箱案内部６４及び苗箱通過センサ６５を含む根切断装置６０全体は、苗箱装填部１７ａに対して取付ボルトで着脱できる構成としており、底部から突出する根がないかあるいは少ない苗箱Ｃを苗箱装填部１７ａに装填するときには、苗箱装填部１７ａから取り外すことができる。尚、根切断装置６０を取り外したときには、前記苗箱案内部６４に代わる苗箱ガイドを苗箱装填部１７ａの左右に装着できる構成となっている。
【００４３】
この苗移植機８は、８条植えの構成で４個の苗箱装填部１７ａが左右に配列されているが、左側２個の苗箱装填部１７ａに設けた根切断装置６０の切断部材６１は上から見て左回転し、右側２個の苗箱装填部１７ａに設けた根切断装置６０の切断部材６１は上から見て右回転する構成となっており、機体の左右中央に対して左右の根切断装置６０で逆回転する構成となっている。すなわち、根切断装置６０の切断部材６１が苗箱装填部１７ａの苗箱移送上手側で機体の左右方向外側に向かって回転するので、切断された根や苗箱Ｃから崩れ落ちた土等が機体の左右外側に飛ばされることになり、機体の左右中央にある座席１３に座る操縦者に前記根及び土がかかりにくく快適な作業が行えると共に、前記根及び土が下方に落下して苗植付け手段ＰＴ，ＰＴで植付けようとする苗に悪影響を与えることが抑えられ、植付の適正化が図れる。尚、切断部材６１で飛ばされる根や土は、苗箱案内部６４の下方の空間を通って機体の左右外方へ飛ばされることになる。
【００４４】
以上により、この苗移植機８は、育苗された苗を収容する苗箱Ｃを装填する苗箱装填部１７ａと、該苗箱装填部１７ａに装填された苗箱Ｃを苗取出し位置ｐ１に向けて搬送する苗箱供給搬送部１７ｂと、前記苗取出し位置ｐ１にある苗箱Ｃから苗を取出す苗取出し手段ＰＵとを備え、苗箱Ｃの底面から突出する根を切断する根切断装置６０を苗箱装填部１７ａに設けている。
【００４５】
従って、この苗移植機８は、苗箱装填部１７ａに苗箱Ｃを装填すると、苗箱装填部１７ａに設けた根切断装置６０により苗箱Ｃの底面から突出する根を切断する。そして、底面から突出する根が切断された苗箱Ｃは苗箱供給搬送部１７ｂにより苗取出し位置ｐ１に円滑に搬送され、苗取出し位置ｐ１に搬送された苗箱Ｃから苗取出し手段ＰＵにより苗が円滑に取出される。よって、苗箱Ｃから苗を円滑に取出すことができるので、苗移送手段ＮＴ２及び苗供給手段ＮＴ１により苗植付け手段ＰＴ，ＰＴへの苗供給を適正に行うことができ、ひいては適正に苗を植付けることができる。
【００４６】
また、走行車体１０に搭乗する作業者が苗箱Ｃを供給する苗箱装填部１７ａに根切断装置６０を設けているので、前記作業者が根切断装置６０による根切りの状態を視認することができる。
【図面の簡単な説明】
【００４７】
【図１】苗移植機の側面図
【図２】苗移植機の平面図
【図３】一部破断する苗移植機の要部側面図
【図４】苗移植機の要部平面図（図４（ａ））と要部背面図（図４（ｂ））
【図５】苗移植機の苗供給手段の要部側面図
【図６】苗移植機の苗供給手段の要部背面図
【図７】苗移植機の砕土装置部分の平面略図（図７（ａ））と該砕土装置を用い圃場面の均平化の様子を示す図
【図８】栽培室を示す図
【図９】プールを使用して育苗する状態を示す図
【図１０】アンダートレイを使用して育苗する状態を示す図
【符号の説明】
【００４８】
８：苗移植機、１７ａ：苗箱装填部、１７ｂ：苗箱供給搬送部、６０：根切断装置、Ｃ：苗箱、ＰＵ：苗取出し手段、ｐ１：苗取出し位置
【図１】
0004826327.tif 000002
【図２】
0004826327.tif 000003
【図３】
0004826327.tif 000004
【図４】
0004826327.tif 000005
【図５】
0004826327.tif 000006
【図６】
0004826327.tif 000007
【図７】
0004826327.tif 000008
【図８】
0004826327.tif 000009
【図９】
0004826327.tif 000010
【図１０】
0004826327.tif 000011